(57)【要約】【課題】光ディスクの主面に傷が付くことを防止する繊維シートの剥離を防止する。【解決手段】光ディスク２の搬送領域に対して主面１３５ａが臨まされるとともに、主面１３５ａよりも長い略矩形状の繊維シート１３６が貼着された断面略Ｔ字状の貼着部１３５が形成され、繊維シート１３６は、中間部１３６ａが接着剤１３８を介して貼着部１３５の主面１３５ａに接着されるとともに、貼着部１３５の長手方向両端で主面１３５ａと反対側の面に折り返される折曲げ部１３６ｂが形成され、貼着部１３５に巻き付けられることにより貼着されている。【選択図】図４４
2006302453.tif 000002
【特許請求の範囲】
【請求項１】
光ディスクが装着されるディスク装着部と、
上記ディスク装着部に装着された光ディスクを回転駆動するディスク回転駆動機構と、
上記ディスク回転駆動機構により回転される上記光ディスクに対して情報信号の書き込み及び／又は読み出しを行う光ピックアップと、
上記光ピックアップを上記光ディスクの半径方向に送り動作させるピックアップ送り機構と、
上記光ディスクを、上記ディスク装着部に装着されるディスク装着位置とディスク挿脱位置との間で搬送するディスク搬送機構とを備え、
上記光ディスクの搬送領域に対して主面が臨まされるとともに、該主面の長手方向に沿って略矩形状の繊維シートが貼着された断面略Ｔ字状の貼着部が形成され、
上記繊維シートは、中間部が接着剤を介して上記貼着部の主面に接着されるとともに、上記主面の長手方向両端で上記主面と反対側に折り曲げられる折曲げ部が形成され、上記貼着部に巻き付けられることにより貼着されていることを特徴とするディスクドライブ装置。
【請求項２】
上記折曲げ部は、上記繊維シートの上記中間部に接着剤が塗布された面と反対側の面に接着剤が塗布され、上記貼着部が立設された立設面に接着されていることを特徴とする請求項１記載のディスクドライブ装置。
【請求項３】
上記折曲げ部は、上記繊維シートの上記中間部に接着剤が塗布された面と同じ面に接着剤が塗布され、上記貼着部の上記主面と反対側の面に貼着されていることを特徴とする請求項１記載のディスクドライブ装置。
【請求項４】
上記貼着部は、主面の先端部と該貼着部が立設された立設面とのクリアランスが上記繊維シートの厚みよりも小さいことを特徴とする請求項１記載のディスクドライブ装置。
【請求項５】
上記貼着部は、上記主面の長手方向と上記光ディスクの搬送方向とが平行とされることを特徴とする請求項１記載のディスクドライブ装置。
【請求項６】
光ディスクが装着されるディスク装着部と、
上記ディスク装着部に装着された光ディスクを回転駆動するディスク回転駆動機構と、
上記ディスク回転駆動機構により回転される上記光ディスクに対して情報信号の書き込み及び／又は読み出しを行う光ピックアップと、
上記光ピックアップを上記光ディスクの半径方向に送り動作させるピックアップ送り機構と、
上記光ディスクを、上記ディスク装着部に装着されるディスク装着位置とディスク挿脱位置との間で搬送するディスク搬送機構とを備え、
上記ディスク装着部には、上記光ディスクの搬送領域に主面が突出されるとともに、該主面よりも長い略矩形状の繊維シートが貼着された上記光ディスクが摺接される摺接部が形成され、
上記繊維シートは、中間部が接着剤を介して上記摺接部の主面に接着されるとともに、上記主面の長手方向両端で上記摺接部に沿って折り曲げられる折曲げ部が形成され、該折曲げ部には上記摺接部からの剥離防止手段が設けられていることを特徴とするディスクドライブ装置。
【請求項７】
上記摺接部は断面略矩形状に形成され、上記繊維シートの折曲げ部が上記摺接部の側面に溶着されていることを特徴とする請求項６記載のディスクドライブ装置。
【請求項８】
上記摺接部は断面略矩形状に形成されるとともに側面部に突起部が設けられ、上記繊維シートの折曲げ部が上記突起部に挿通された後、上記突起部の先端がかしめられていることを特徴とする請求項６記載のディスクドライブ装置。
【請求項９】
上記摺接部は断面略Ｔ字状に形成され、上記折曲げ部は上記繊維シートの上記中間部に接着剤が塗布された面と反対側の面に接着剤が塗布され、上記摺接部に巻き付けられるとともに上記摺接部が立設された立設面に貼着されていることを特徴とする請求項６記載のディスクドライブ装置。
【請求項１０】
上記摺接部は断面略Ｔ字状に形成され、上記折曲げ部は上記繊維シートの上記中間部に接着剤が塗布された面と同じ面に接着剤が塗布され、上記摺接部に巻き付けられるとともに上記摺接部の上記主面と反対側の面に貼着されていることを特徴とする請求項６記載のディスクドライブ装置。
【請求項１１】
上記摺接部は、主面の先端部と該摺接部が立設された立設面とのクリアランスが上記繊維シートの厚みよりも小さいことを特徴とする請求項９又は１０記載のディスクドライブ装置。
【請求項１２】
上記摺接部は、上記主面の長手方向と上記光ディスクの搬送方向とが平行とされることを特徴とする請求項６記載のディスクドライブ装置。
【請求項１３】
光ディスクが装着されるディスク装着部と、上記ディスク装着部に装着された光ディスクを回転駆動するディスク回転駆動機構と、上記ディスク回転駆動機構により回転される上記光ディスクに対して情報信号の書き込み及び／又は読み出しを行う光ピックアップと、上記光ピックアップを上記光ディスクの半径方向に送り動作させるピックアップ送り機構と、上記光ディスクを上記ディスク装着部に装着されるディスク装着位置とディスク挿脱位置との間で搬送するディスク搬送機構とを備えるディスクドライブ装置の製造方法において、
上記ディスク装着部に形成され、上記光ディスクの搬送領域に主面が突出された断面略Ｔ字状のディスク摺接部に、該主面よりも長い略矩形状の繊維シートの中間部を該中間部に塗布された接着剤により接着し、
上記繊維シートの上記ディスク摺接部の両端で該ディスク摺接部の上記主面と反対側に折り曲げられた折曲げ部を、該折曲げ部の上記中間部に接着剤が塗布された面と反対側の面に塗布された接着剤により、上記ディスク摺接部が立設された立設面に接着するディスクドライブ装置の製造方法。
【請求項１４】
上記繊維シートの折曲げ部を、上記繊維シートの厚さ以下のクリアランスを有する上記ディスク摺接部の主面の先端部と該ディスク摺接部が立設された立設面とで挟持させることを特徴とする請求項１３記載のディスクドライブ装置の製造方法。
【発明の詳細な説明】
【技術分野】
【０００１】
本発明は、光ディスクに対して情報信号の記録及び／又は再生を行うディスクドライブ装置に関し、特に薄型化が図られたディスクドライブ装置及びディスクドライブ装置の製造方法に関する。
【背景技術】
【０００２】
光ディスクとしては、従来よりＣＤ(Compact Disk)やＤＶＤ(Digital Versatile Disk)ＢＤ(Blue-ray Disk)といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
ディスクドライブ装置には、筐体に設けられた蓋や扉を開放し、そこから臨むターンテーブルにディスクを直接装着するタイプ、筐体から水平方向に出し入れされるディスクトレイにディスクを載置することで、ディスクトレイが引き込まれた際にディスクが内部のターンテーブルに自動的に装着されるタイプ、或いはこのディスクトレイに設けられたターンテーブルにディスクを直接装着するタイプ等がある。しかしながら、何れのタイプも操作者にとって、蓋や扉を開閉したり、ディスクトレイを出し入れしたり、ターンテーブルにディスクを装着したりといった操作を必要とする。
【０００４】
これに対して、筐体の前面に設けられたディスク挿脱口からディスクを挿入するだけでディスクが自動的にターンテーブルに装着される、いわゆるスロットイン型のディスクドライブ装置がある。このスロットイン型のディスクドライブ装置には、ディスク挿脱口から挿入されたディスクを挟み込む相対向する一対のガイドローラを備え、これら一対のガイドローラを互いに逆向きに回転させることによって、ディスク挿脱口から挿入されたディスクを筐体の内部へと引き込むローディング動作と、このディスク挿脱口からディスクを筐体の外部へと排出するイジェクト動作とを行うものがある。
【０００５】
また、ディスクドライブ装置が搭載される、例えばノート型パーソナルコンピュータ等のモバイル機器では、更なる小型軽量薄型化が求められており、それに伴うディスクドライブ装置の小型軽量薄型化の要求が高まっている背景から、スロットイン型のディスクドライブ装置では、フロントパネルのディスク挿脱口から挿入されたディスクの外周部に当接される当接部が先端部に設けられ、基端部が回動可能に支持された複数の回動アームを配置し、これら回動アームを当該ディスクと平行な面内で回動させながら、ディスクをディスク挿脱口から筐体の内部へと引き込むローディング動作と、ディスクをディスク挿脱口から筐体の外部へと排出するイジェクト動作とを行うディスクドライブ装置が供給されている（例えば、特許文献１を参照。）。このように薄型化が図られたディスクドライブ装置のなかでも、ノート型パーソナルコンピュータ等に搭載される超薄型のディスクドライブ装置は、厚さ１２．７ｍｍが標準サイズとされており、更にハードディスクドライブ（ＨＤＤ）ユニットと同等の厚みである９．５ｍｍまで薄型化されたディスクドライブ装置も提案されている。
【０００６】
このように装置本体の薄型化が高度に図られたディスクドライブ装置では、光ディスクの搬送領域に割けるスペースも光ディスク本体の厚さに近づくように形成されることとなる。また、薄型化が図られたディスクドライブ装置では、光ディスクの挿脱操作の際に、光ディスクが装置本体の前面パネルに形成されたディスク挿脱口に対して真っ直ぐに抜き差しされず、ディスクの搬送方向に対して傾いて挿脱される場合が多い。このように光ディスクがディスクの搬送方向に対して傾いて挿入あるいは排出されると、光ディスクの搬送領域の厚さのマージンが殆ど取れていないことから、ディスクの主面がディスク装着部あるいは装置本体の天板部と摺接してしまうおそれがある。
【０００７】
特に光ディスクの信号記録面がディスク装着部に摺接すると、情報信号の書き込みあるいは読み出しに悪影響を及ぼすおそれがあることから、光ディスクの搬送領域に不織布を貼着し、光ディスクに傷が付くことを防止するものも提案されている。しかし、不織布も相当の厚みを有し、また光ディスクの回転駆動と干渉しないことも必要であることから、ディスクの搬送領域に広く貼着することはできず、狭小な面積で貼着されるものもある。かかる狭小な面積の不織布は、微量な接着剤で貼着部と貼着されていることから、光ディスクが何度も摺接されると摩擦によって剥離してしまい、光ディスクの信号記録面にキズが付く虞があるほか、剥離された不織布がディスクドライブ装置内に残存し、装置動作に支障を来すおそれもある。
【０００８】
【特許文献１】特開２００２−１１７６０４号公報
【発明の開示】
【発明が解決しようとする課題】
【０００９】
そこで、本発明は、薄型化が図られたディスクドライブ装置において、光ディスクの主面に傷が付くことを防止する繊維シートを備え、この繊維シートの剥離が防止されたディスクドライブ装置及びディスクドライブ装置の製造方法を提供することを目的とする。
【課題を解決するための手段】
【００１０】
上述した課題を解決するために、本発明に係るディスクドライブ装置は、光ディスクが装着されるディスク装着部と、上記ディスク装着部に装着された光ディスクを回転駆動するディスク回転駆動機構と、上記ディスク回転駆動機構により回転される上記光ディスクに対して情報信号の書き込み及び／又は読み出しを行う光ピックアップと、上記光ピックアップを上記光ディスクの半径方向に送り動作させるピックアップ送り機構と、上記光ディスクを、上記ディスク装着部に装着されるディスク装着位置とディスク挿脱位置との間で搬送するディスク搬送機構とを備え、上記光ディスクの搬送領域に対して主面が臨まされるとともに、該主面の長手方向に沿って略矩形状の繊維シートが貼着された断面略Ｔ字状の貼着部が形成され、上記繊維シートは、中間部が接着剤を介して上記貼着部の主面に接着されるとともに、上記主面の長手方向両端で上記主面と反対側に折り曲げられる折曲げ部が形成され、上記貼着部に巻き付けられることにより貼着されているものである。
【００１１】
また、本発明に係るディスクドライブ装置は、光ディスクが装着されるディスク装着部と、上記ディスク装着部に装着された光ディスクを回転駆動するディスク回転駆動機構と、上記ディスク回転駆動機構により回転される上記光ディスクに対して情報信号の書き込み及び／又は読み出しを行う光ピックアップと、上記光ピックアップを上記光ディスクの半径方向に送り動作させるピックアップ送り機構と、上記光ディスクを、上記ディスク装着部に装着されるディスク装着位置とディスク挿脱位置との間で搬送するディスク搬送機構とを備え、上記ディスク装着部には、上記光ディスクの搬送領域に主面が突出されるとともに、該主面よりも長い略矩形状の繊維シートが貼着された上記光ディスクが摺接される摺接部が形成され、上記繊維シートは、中間部が接着剤を介して上記摺接部の主面に接着されるとともに、上記主面の長手方向両端で上記摺接部に沿って折り曲げられる折曲げ部が形成され、該折曲げ部には上記摺接部からの剥離防止手段が設けられているものである。
【００１２】
また、本発明に係るディスクドライブ装置の製造方法は、光ディスクが装着されるディスク装着部と、上記ディスク装着部に装着された光ディスクを回転駆動するディスク回転駆動機構と、上記ディスク回転駆動機構により回転される上記光ディスクに対して情報信号の書き込み及び／又は読み出しを行う光ピックアップと、上記光ピックアップを上記光ディスクの半径方向に送り動作させるピックアップ送り機構と、上記光ディスクを上記ディスク装着部に装着されるディスク装着位置とディスク挿脱位置との間で搬送するディスク搬送機構とを備えるディスクドライブ装置の製造方法において、上記ディスク装着部に形成され、上記光ディスクの搬送領域に主面が突出された断面略Ｔ字状のディスク摺接部に、該主面よりも長い略矩形状の繊維シートの中間部を該中間部に塗布された接着剤により接着し、上記繊維シートの上記ディスク摺接部の両端で該ディスク摺接部の上記主面と反対側に折り曲げられた折曲げ部を、該折曲げ部の上記中間部に接着剤が塗布された面と反対側の面に塗布された接着剤により、上記ディスク摺接部が立設された立設面に接着するものである。
【発明の効果】
【００１３】
このような本発明に係るディスクドライブ装置及びディスクドライブ装置の製造方法によれば、装置本体内に光ディスクが挿入され又は装置本体外へ排出される際に、光ディスクの主面が繊維シートが貼着された貼着部に繰り返し摺接された場合にも、当該繊維シートの折曲げ部が貼着部に巻き付けるように貼着されることにより、相当の接着面積を確保することができるため、光ディスクが繰り返し摺接されることによって剥離することを防止することができる。
【００１４】
また、光ディスクの搬送領域に臨まされ光ディスクの挿入又は排出時に光ディスクの信号記録面が摺接される摺接部に、繊維シートを貼着するとともに、繊維シートの折曲げ部に剥離防止手段が設けられているため、光ディスクの信号記録面へのキズつきを防止することができ、また光ディスクが繰り返し摺接されることによって剥離することを防止することができる。
【発明を実施するための最良の形態】
【００１５】
以下、本発明が適用されたディスクドライブ装置及びディスクドライブ装置の製造方法について、図面を参照しながら詳細に説明する。このディスクドライブ装置１は、例えば図１に示すように、ノート型パーソナルコンピュータ１０００の装置本体１００１に搭載されたスロットイン型のディスクドライブ装置１である。このディスクドライブ装置１は、図２に示すように、例えば１２．７ｍｍ程度にまで装置全体が薄型化された構造を有しており、ＣＤ(Compact Disk)やＤＶＤ(Digital Versatile Disk)といった光ディスク２に対して情報信号の記録・再生を行うことが可能となっている。また、このディスクドライブ装置１は、標準サイズである直径１２ｃｍのディスク（以下、大径ディスクという。）と、この大径ディスクよりも小径な直径８ｃｍのディスク（以下、小径ディスクという。）とに対応可能となっている。
【００１６】
先ず、このディスクドライブ装置１の具体的な構成について説明する。このディスクドライブ装置１は、図２に示すように、装置本体の外筐となる筐体３を備え、この筐体３は、下部筐体である略扁平箱状のボトムケース４と、このボトムケース４の上部開口部を覆う天板であるトップカバー５とから構成されている。
【００１７】
トップカバー５は、図２及び図３に示すように、薄い板金からなり、ボトムケース４の上部開口部を閉塞する天板部５ａと、この天板部５ａの周囲がボトムケース４の両側面に沿って僅かに折り曲げられた一対の側板部５ｂとを有している。天板部５ａの略中央部には、略円形状の開口部６が形成されている。この開口部６は、後述するチャッキング動作時に光ディスク２の中心孔２ａに係合されるターンテーブル２３ａの係合突部２８ａを外部に臨ませるためのものである。また、天板部５ａの開口部６の周囲は、ターンテーブル２３ａ上に保持された光ディスク２の中心孔２ａの周囲と当接されるように、筐体３の内側に向かって僅かに突出した当接突部７を形成している。
【００１８】
天板部５ａの内側の主面には、後述する第１の回動アーム３５の先端部と第２の回動アーム３６の先端部とを高さ方向に規制しながら、互いに近接又は離間する方向に案内するガイド部材８が設けられている。このガイド部材８は、天板部５ａの両側板部５ｂの間に亘って略円弧状をなす板金からなり、天板５ａの前面側にスポット溶接等により取り付けられている。また、このガイド部材８は、背面側が前面側の取付面よりも一段高くなされた段差部８ａを有している。これにより、ガイド部材８の背面側の段差部８ａと天板部５ａとの間には、第１の回動アーム３５の先端部及び第２の回動アーム３６の先端部が係合されるガイド溝９が形成されている。また、天板部５ａには、このガイド溝９に第１の回動アーム３５の先端部と第２の回動アーム３６の先端部とを係合させるための作業用の窓部１０がそれぞれ設けられている。
【００１９】
図４、図５、図６、図７、図８に上記トップカバー５に上部開口部を覆われるボトムケース４及びその内部構成を示す。なお図４では、光ディスク２と内部構成部品との接触を防ぐ化粧板が設けられているが、図５以下では、説明の便宜上、当該化粧板を除いている。ボトムケース４は、図４及び図５に示すように、略扁平箱状に形成された板金からなり、その底面部は、略矩形状であり、一方の側面部には、この底面部よりも底上げされて外側へと張り出したデッキ部４ａが設けられている。
【００２０】
ボトムケース４の底面部には、駆動制御回路を構成するＩＣチップ等の電子部品や、各部の電気的な接続を図るためのコネクタ、各部の動作を検出するための検出スイッチ等が配置された回路基板がネジ止め等により取り付けられている。また、ボトムケース４の底面部には、シャーシ１１がネジ止めにより取り付けられている。このシャーシ１１は、回路基板の上方において、ボトムケース４の内部を上記デッキ部４ａと略同等の高さで上下に仕切るように配置されている。
【００２１】
そして、このボトムケース５には、図２に示すように、上記トップカバー４がネジ止めにより取り付けられている。具体的に、天板部５ａの外周縁部には、図３に示すように、ネジ１２を貫通させる複数の貫通孔１３が形成されている。また、両側の側板部５ｂには、内側に略直角に折り曲げられた複数のガイド片１４が設けられている。一方、ボトムケース４の外周縁部には、図５に示すように、内側に略直角に折り曲げられた複数の固定片１５が設けられており、これら固定片１５には、トップカバー５の貫通孔１３に対応したネジ孔１６が形成されている。また、ボトムケース４の両側面部には、トップカバー５の複数のガイド片１４の抜け止めとなる詳細を省略するガイドスリットが複数形成されている。
【００２２】
そして、ボトムケース４にトップカバー５を取り付ける際は、ボトムケース４の複数のガイドスリットにトップカバー５の複数のガイド片１４を係合させた状態で、トップカバー５を前面側から背面側へとスライドさせる。これにより、トップカバー５の天板部５ａがボトムケース４の上部開口部を閉塞した状態となる。そして、この状態でトップカバー５の複数の貫通孔１３を通してボトムケース４のネジ孔１６にネジ１２を螺合する。以上のようにして、図２に示す筐体３が構成されている。
【００２３】
なお、トップカバー５の天板部５ａには、組付後に、上述した開口部６や作業用の窓部１０を覆うラベルシール（図示せず。）が貼り付けられる。これにより、筐体３の内部に塵埃等が侵入することを防止する。
【００２４】
筐体３の前面には、図２に示すように、略矩形平板状のフロントパネル１８が取り付けられている。このフロントパネル１８には、光ディスク２が水平方向に出し入れされるディスク挿脱口１９が設けられている。すなわち、光ディスク２は、このディスク挿脱口１９から筐体３の内部へと挿入したり、或いはこのディスク挿脱口１９から筐体３の外部へと排出したりすることが可能となっている。また、フロントパネル１８の前面には、光ディスク２に対するアクセス状態を点灯表示する表示部２０や、光ディスク２を排出する際に押圧されるイジェクトボタン２１が設けられている。
【００２５】
このディスクドライブ装置１は、図５及び図９に示すように、ボトムケース４の底面部にドライブ本体を構成するベースユニット２２を備えている。
【００２６】
このベースユニット２２は、ディスク挿脱口１９から筐体３の内部に挿入された光ディスク２が装着されるディスク装着部２３と、このディスク装着部２３に装着された光ディスク２を回転駆動するディスク回転駆動機構２４と、このディスク回転駆動機構２４により回転駆動される光ディスク２に対して信号の書き込み又は読み出しを行う光ピックアップ２５と、この光ピックアップ２５を光ディスク２の半径方向に送り動作させるピックアップ送り機構２６とを有し、これらがベース２７に一体に設けられた超薄型構造を有している。
【００２７】
このベースユニット２２は、ボトムケース４の底面部においてディスク装着部２３が略々中央に位置するように、シャーシ１１よりも前面側に配置されている。また、このベースユニット２２は、後述するベース昇降機構５５によって昇降可能とされており、初期状態において、ディスク挿脱口１９から筐体３の内部に挿入される光ディスク２よりも下方に位置している。
【００２８】
ベース２７は、板金を所定の形状に打ち抜き、その周囲を僅かに下方に折り曲げて形成されている。ベース２７の主面には、後述するディスク装着部２３のターンテーブル２３ａを上方へと臨ませる略半円状のテーブル用開口部２７ａと、後述する光ピックアップ２５の対物レンズ２５ａを上方へと臨ませる略矩形状のピックアップ用開口部２７ｂとが連続形成されている。なお、図４に示すように、ベース２７の上面部には、これら開口部２７ａ，２７ｂに対応した開口部が形成された化粧板が取り付けられる。
【００２９】
また、ボトムケース４は、ベース２７のディスク装着部２３と反対側の端部に、光ディスク２とベース２７との接触を防ぐとともに、光ディスク２を第１の回動アーム３５の第１の前面側当接部材３８へ導くガイド板１７が形成されている。ガイド板１７には、後述する繊維シート１３０が貼着されており、光ディスク２が摺接された場合にも、光ディスク２の信号記録面に傷が付くことを防止することができる。
【００３０】
ディスク装着部２３は、ディスク回転駆動機構２４により回転駆動されるターンテーブル２３ａを有し、このターンテーブル２３ａの中心部には、光ディスク２を装着するためのチャッキング機構２８が設けられている。このチャッキング機構２８は、光ディスク２の中心孔２ａに係合される係合突部２８ａと、この係合突部２８ａに係合された光ディスク２の中心孔２ａの周囲を係止する複数の係止爪２８ｂとを有し、光ディスク２をターンテーブル２３ａ上に保持する。
【００３１】
ディスク回転駆動機構２４は、光ディスク２をターンテーブル２３ａと一体に回転駆動する扁平状のスピンドルモータ２４ａを有し、このスピンドルモータ２４ａは、上面部に設けられたターンテーブル２３ａがベース２７のテーブル用開口部２７ａから僅かに突出するように、支持板２４ｂを介してベース２７の下面にネジ止めにより取り付けられている。
【００３２】
光ピックアップ２５は、光源となる半導体レーザから出射された光ビームを対物レンズ２５ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。
【００３３】
また、この光ピックアップ２５は、対物レンズ２５ａを光軸方向（フォーカッシング方向という。）と、光ディスクの記録トラックと直交する方向（トラッキング方向という。）とに変位駆動する２軸アクチュエータ等の対物レンズ駆動機構を有し、上述した光検出器により検出された光ディスク２からの検出信号に基づいて、この２軸アクチュエータにより対物レンズ２５ａをフォーカッシング方向及びトラッキング方向に変位させながら、光ディスク２の信号記録面上に対物レンズ２５ａの焦点を合わせるフォーカスサーボや、対物レンズ２５ａにより集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ２５ａにより集光された光ビームを光ディスク２の信号記録面に垂直に照射させるように、光ディスク２の信号記録面に対する対物レンズ２５ａの傾き（スキュー）を調整可能とする３軸アクチュエータを用いてもよい。
【００３４】
ピックアップ送り機構２６は、光ピックアップ２５が搭載されたピックアップベース２９と、このピックアップベース２９を光ディスク２の半径方向にスライド可能に支持する一対のガイド軸３０ａ，３０ｂと、これら一対のガイド軸３０ａ，３０ｂに支持されたピックアップベース２９を光ディスク２の半径方向に変位駆動する変位駆動機構３１とを有している。
【００３５】
ピックアップベース２９には、一対のガイド軸３０ａ，３０ｂのうち、一方のガイド軸３０ａを挿通するガイド孔が形成された一対のガイド片３２ａ，３２ｂと、他方のガイド軸３０ｂを挟み込むガイド溝が形成されたガイド片３３とが互いに対向する側面から突出形成されている。これにより、ピックアップベース２９は、一対のガイド軸３０ａ，３０ｂにスライド可能に支持されている。
【００３６】
一対のガイド軸３０ａ，３０ｂは、ベース２７の下面に光ディスク２の半径方向と互いに平行となるように配置されており、ベース２７のピックアップ用開口部２７ｂから光ピックアップ２５が臨むピックアップベース２９を光ディスク２の内外周に亘って案内する。
【００３７】
変位駆動機構３１は、ベース２７に取り付けられた駆動モータ３１ａの回転駆動をギヤやラック（図示せず。）を介して直線駆動に変換し、ピックアップベース２９を一対のガイド軸３０ａ，３０ｂに沿った方向、すなわち光ディスク２の半径方向に変位駆動させる。
【００３８】
このディスクドライブ装置１は、図５に示すように、ディスク挿脱口１９から光ディスク２が挿脱されるディスク挿脱位置と、ディスク装着部２３のターンテーブル２３ａに光ディスク２が装着されるディスク装着位置との間で光ディスク２の搬送を行うディスク搬送機構３４を備えている。
【００３９】
このディスク搬送機構３４は、天板部５ａのディスク装着部２３と対向する主面と、ディスク挿脱口１９から挿入された光ディスク２の主面との間で移動操作されるサポート部材として、当該光ディスク２の主面と平行な面内で揺動可能とされた第１の回動アーム３５及び第２の回動アーム３６を有している。
【００４０】
これら第１の回動アーム３５及び第２の回動アーム３６は、ディスク装着部２３を挟んだ左右の両側に各々配置されており、それぞれディスク装着部２３よりも背面側に位置する基端部が回動可能に支持されると共に、ディスク装着部２３よりも前面側に位置する先端部がディスク挿脱口１９から挿入された光ディスク２の主面と平行な面内で互いに近接又は離間する方向に揺動可能となっている。
【００４１】
具体的に、第１の回動アーム３５は、長尺状の板金からなり、ディスク装着部２３のターンテーブル２３ａを挟んだ左右の一方側（例えば図５中の右側）に位置して、基端部がシャーシ１１上に設けられた第１の支軸３７を介して、矢印ａ１方向及び矢印ａ２方向に回動可能に支持されている。また、第１の回動アーム３５の先端部には、ディスク挿脱口１９から挿入された光ディスク２の外周部と当接される第１の前面側当接部材３８が下方に向かって突出して設けられている。また、第１の回動アーム３５の基端部近傍には、光ディスク２をディスク装着位置に位置決めする際に、第１の前面側当接部材３８と共に光ディスク２の外周部に当接される第１の背面側当接部材３９が下方に向かって突出して設けられている。
【００４２】
第１の前面側当接部材３８は前後一対の小径の回転ローラ７３ａ，７３ｂが回転可能に取り付けられている。また、第１の背面側当接部材３９は、光ディスク２よりも柔らかい樹脂からなり、ディスク挿脱口１９から挿入された光ディスク２の外周部と当接される中央部分が内側に湾曲し、その両端部が拡径されたフランジ部として光ディスク２の高さ方向の移動を規制する略鼓形形状を有している。
【００４３】
一方、第２の回動アーム３６は、長尺状の板金からなり、ディスク装着部２３のターンテーブル２３ａを挟んだ左右の他方側（例えば図５中の左側）に位置して、基端部がシャーシ１１上に設けられた上記第１の支軸３７を介して、矢印ｂ１方向及び矢印ｂ２方向に回動可能に支持されている。また、第２の回動アーム３６の先端部には、ディスク挿脱口１９から挿入された光ディスク２の外周部に当接される第２の前面側当接部材４０が下方に向かって突出して設けられている。
【００４４】
第２の前面側当接部材４０は、前後一対の小径の回転ローラ７３ａ，７３ｂが回転可能の取り付けられている。なお、第２の前面側当接部材４０は、光ディスク２よりも柔らかい樹脂からなり、ディスク挿脱口１９から挿入された光ディスク２の外周部と当接される中央部分が内側に湾曲し、その両端部が拡径されたフランジ部として光ディスク２の高さ方向の移動を規制する略鼓形形状に形成してもよい。
【００４５】
このように、第１の回動アーム３５と第２の回動アーム３６とは、ディスク装着部２３のターンテーブル２３ａを挟んで略対称となる位置に配置されており、互いの回動中心がディスク装着部２３よりも背面側の略中央部において一致している。また、第１の回動アーム３５の先端部及び第２の回動アーム３６の先端部は、上述した天板部５ａのガイド溝９に係合された状態で回動方向に沿ってスライド可能に支持されている。
【００４６】
ディスク搬送機構３４は、これら第１の回動アーム３５と第２の回動アーム３６とを連動させるための連動機構４１を有しており、この連動機構４１を介して第１の回動アーム３５と第２の回動アーム３６とが互いに逆向きに回動可能となっている。
【００４７】
具体的に、この連動機構４１は、第１の回動アーム３５と第２の回動アーム３６とを連結する第１の連結アーム４２及び第２の連結アーム４３を有している。これら第１の連結アーム４２及び第２の連結アーム４３は、長尺状の板金からなり、それぞれの長手方向の一端部が第１の回動アーム３５の基端部と第２の回動アーム３６の基端部とに回動可能に支持され、それぞれの長手方向の他端部が第２の支軸４４を介して回動可能に支持された、いわゆるパンタグラフ構造を有している。また、第２の支軸４４は、シャーシ１１の第１の支軸３７よりも前面側に設けられたガイドスリット４５に係合されており、このガイドスリット４５は、光ディスク２の挿入方向に亘って直線状に形成されている。
【００４８】
したがって、第１の回動アーム３５と第２の回動アーム３６とは、第２の支軸４４がガイドスリット４５内をスライドすることで、第１の連結アーム４２及び第２の連結アーム４３を介して互いに逆向きに回動可能となっている。すなわち、第１の回動アーム３５の先端部と第２の回動アーム３６の先端部とは、このような連動機構４１によって、互いに近接又は離間する方向に揺動可能となっている。
【００４９】
また、第１の回動アーム３５及び第２の回動アーム３６の基端部には、これら回動アーム３５，３６を互いに近接する方向に付勢する付勢手段である捻りコイルバネ７５が設けられている（図５参照）。
【００５０】
ディスク搬送機構３４は、光ディスク２をディスク挿脱口１９から筐体３の内部へと引き込むローディング動作を補助するためのローディング補助手段として、ディスク挿脱口１９から挿入される光ディスク２の主面と平行な面内で揺動可能とされた第３の回動アーム４６を有している。
【００５１】
第３の回動アーム４６は、長尺状の板金からなり、ディスク装着部２３のターンテーブル２３ａを挟んだ左右の一方側（例えば図５中左側）の第２の回動アーム３６よりも前面側に位置して、基端部がデッキ部４ａ上に設けられた支軸４７を介して、矢印ｃ１方向及び矢印ｃ２方向に回動可能に支持されている。また、第３の回動アーム４６の先端部には、ディスク挿脱口１９から挿入された光ディスク２の外周部に当接される第３の当接部材４８が上方に向かって突出して設けられている。
【００５２】
第３の当接部材４８は、第３の回動アーム４６の天板部５ａと対向する主面に回転可能に取り付けられた小径の回転ローラであり、光ディスク２よりも柔らかい樹脂からなる。また、この第３の当接部材４８は、ディスク挿脱口１９から挿入された光ディスク２の外周部と当接される中央部分が内側に湾曲し、その両端部が拡径されたフランジ部４８ａとして光ディスク２の高さ方向の移動を規制する略鼓形形状を有している。
【００５３】
ディスク搬送機構３４は、光ディスク２をディスク挿脱口１９から筐体３の外部へと排出するイジェクト動作を補助するためのイジェクト補助手段として、ディスク挿脱口１９から挿入される光ディスク２の主面と平行な面内で揺動可能とされた第４の回動アーム４９を有している。
【００５４】
第４の回動アーム４９は、長尺状の板金からなり、ディスク装着部２３のターンテーブル２３ａを挟んだ左右の一方側（例えば図５中左側）の第２の回動アーム３６の中間部において、矢印ｄ１方向及び矢印ｄ２方向に回動可能に支持されている。また、第４の回動アーム４９の先端部には、ディスク挿脱口１９から挿入された光ディスク２の外周部の背面側に当接される第４の当接部材５０が上方に向かって突出して設けられている。
【００５５】
第４の当接部材５０は、光ディスク２よりも柔らかい樹脂からなり、ディスク挿脱口１９から挿入された光ディスク２の外周部と当接される中央部分が内側に湾曲し、その両端部が拡径されたフランジ部５０ａとして光ディスク２の高さ方向の移動を規制する略鼓形形状を有している。また、この第４の当接部材５０は、第４の回動アーム４９の天板部５ａと対向する主面に回転可能に取り付けられた小径の回転ローラであってもよい。
【００５６】
また、第２の回動アーム３６には、この第４の回動アーム４９が背面側、すなわち矢印ｄ１方向に回動された際に、当該第４の回動アーム４９の背面側への回動を規制する規制片５１が設けられている。
【００５７】
このディスク搬送機構３４は、上述した各回動アーム３５，３６，４６，４９を協働させるための駆動レバー５２を有している。この駆動レバー５２は、全体が略直方体状に形成された樹脂部材からなり、ボトムケース４の底面部において、このボトムケース４の一方の側面部とベースユニット２２との間に配置されている。また、この駆動レバー５２は、ディスク挿脱口１９から筐体３の内部に挿入される光ディスク２よりも下方に位置しており、その上面部がデッキ部４ａの底面部と略一致した高さを有している。そして、この駆動レバー５２は、ボトムケース４の底面部に設けられた駆動モータやギヤ群等からなる後述する変位駆動機構を介して前後方向にスライド駆動される（図７、図１７及び図１８参照）。
【００５８】
そして、ディスク搬送機構３４では、この駆動レバー５２のスライド動作に連動して、上述した第２の支軸４４がガイドスリット４５内をスライドすることになる。これにより、第１の回動アーム３５及び第２の回動アーム３６は、連動機構４１を介して互いに逆向きに回動操作される。また、第３の回動アーム４６の基端側には、駆動レバー５２の上面に設けられたカム溝８０に係合されるカムピン４６ｂが設けられている。これにより、第３の回動アーム４６は、駆動レバー５２のスライド動作に連動して、カムピン４６ｂがカム溝８０内をスライドすることで回動操作される。また、第４の回動アーム４９も、後述する連結機構８１を介して駆動レバー５２のスライド動作に連動して回動操作される。
【００５９】
そして、このディスク搬送機構３４では、これら第１の回動アーム３５、第２の回動アーム３６、第３の回動アーム４６及び第４の回動アーム４９が互いに協働しながら、光ディスク２をディスク挿脱口から筐体３の内部へと引き込むローディング動作と、光ディスク２をディスク装着位置に位置決めするセンタリング動作と、光ディスク２をディスク挿脱口１９から筐体３の外部へと排出するイジェクト動作とを行う。
【００６０】
このディスクドライブ装置１は、図６に示すように、上述した駆動レバー５２のスライドに連動して、上記ベース２７を昇降操作するベース昇降機構５５を備えている。
【００６１】
このベース昇降機構５５は、ベース２７を上昇させてディスク装着位置に位置決めされた光ディスク２をディスク装着部２３のターンテーブル２３ａに装着するチャッキング位置と、ベース２７を下降させてディスク装着部２３のターンテーブル２３ａから光ディスク２を離脱するチャッキング解除位置と、ベース２７をチャッキング位置とチャッキング解除位置との間に位置させて光ディスク２に対する信号の記録又は再生を行う中間位置との間でベース２７を昇降操作する。
【００６２】
具体的に、上述した駆動レバー５２のベース２７と対向する側面には、上記チャッキング位置、上記チャッキング解除位置及び上記中間位置に対応したカムスリット（図示せず。）が長手方向に亘って形成されている。
【００６３】
また、ボトムケース４の底面部には、ベース２７の背面側の側面に沿ってカムレバー５６が配置されている。このカムレバー５６は、長尺状の平板部材からなり、駆動レバー５２の前後方向のスライドに連動して、当該駆動レバー５２のスライド方向と略直交する方向にスライド操作される。また、このカムレバー５６の中間部には、ベース２７と対向する端縁部から上方に向かって折り曲げられたカム片５７が設けられている。このカム片５７には、上記チャッキング位置、上記チャッキング解除位置及び上記中間位置に対応したカムスリット（図示せず。）が長手方向に亘って形成されている。
【００６４】
また、ボトムケース４の底面部には、折曲げ片５８がベース２７の背面側の側面に沿って折り曲げ形成されている。この折曲げ片５８には、ベース２７を昇降させるための鉛直スリット（図示せず。）が上下方向に亘って形成されている。
【００６５】
これに対して、ベース２７は、図９に示すように、駆動レバー５２と対向する側面のディスク装着部２３側に位置して、駆動レバー５２のカムスリットに係合されて支持される第１の支軸５９と、カムレバー５６と対向する側面のディスク装着部２３側に位置して、カム片５７のカムスリット及び折曲げ片５８の鉛直スリットに係合されて支持される第２の支軸６０と、駆動レバー５２と対向する側面とは反対側の側面の前面側に位置して、ボトムケース４の他方側の側面に設けられた軸孔６１に回動可能に支持された第３の支軸６２と、カムレバー５６と対向する側面とは反対側の側面の前面側に位置して、ゴム等の粘弾性部材からなるインシュレータ６３を介してボトムケース４の底面部にネジ６４により固定支持された固定支持部６５とを有している。
【００６６】
したがって、このベース昇降機構５５では、駆動レバー５２及びカムレバー５６のスライドに連動して、第１の支軸５９が駆動レバー５２のカムスリット内をスライドすると共に、第２の支軸６０がカムレバー５６のカムスリット及び折曲げ片５８の鉛直スリット内をスライドすることによって、ベース２７のディスク装着部２３側が前面側に対して、上記チャッキング位置と上記チャッキング解除位置と上記中間位置との間で昇降操作される。
【００６７】
また、ボトムケース４の底面部には、図５に示すように、このベース昇降機構５５がベース２７を下降させたとき、ディスク装着部２３のターンテーブル２３ａ上に装着された光ディスク２をターンテーブル２３ａから離脱させるためのチャッキング解除手段である押上ピン６６が設けられている。この押上ピン６６は、ベースユニット２２のディスク装着部２３近傍、具体的にはディスク装着部２３に最も近接したベース２７の背面側に位置して、ボトムケース４の底面部から上方に向かって突出して設けられている。
【００６８】
次に、上記ディスクドライブ装置１を駆動制御するための具体的な構成について説明する。
【００６９】
上記ディスク搬送機構３４を構成する第１乃至第４の回動アーム３５，３６，４６，４９のうち、第１の回動アーム３５及び第２の回動アーム３６は、図５に示すように、第１の前面側当接部材３８及び第２の前面側当接部材４０に、それぞれ前後一対の回転ローラ７３ａ，７３ｂが回転可能に取り付けられている。これら一対の回転ローラ７３ａ，７３ｂのうち、前面側の回転ローラ７３ａは、上述したローディング動作及びイジェクト動作の際に光ディスク２の外周部に当接に当接される部分であり、背面側の回転ローラ７３ｂは、上述したセンタリング動作の際に光ディスク２の外周部に当接される部分である。このように、一対の回転ローラ７３ａ，７３ｂに別々の機能を持たせることで、第１の回動アーム３５及び第２の回動アーム３６による外径の異なる大径の光ディスク２Ａ及び小径の光ディスク２Ｂのローディング動作、センタリング動作及びイジェクト動作を確実且つ安定的に行うことが可能である。
【００７０】
また、上記連動機構４１では、図５，図６及び図７に示すように、上述した第１の回動アーム３５と第２の回動アーム３６とを外径の異なる大径ディスク２Ａと小径ディスク２Ｂに対応して回動操作する必要がある。このため、上記カムレバー５６の中間部から上方に向かって折り曲げられたカム片５７が更に水平方向に略コ字状に折り曲げられている。そして、このカム片５７の水平面部５７ａには、大径ディスク２Ａに対応した第１のカム部７４ａと、この第１のカム部７４ａよりも前面側をスリット状に切り欠くことによって、小径ディスク２Ｂに対応した第２のカム部７４ｂとが形成されている。
【００７１】
そして、この連動機構４１では、筐体３のディスク挿脱口１９から大径ディスク２Ａが挿入された場合と小径ディスク２Ｂが挿入された場合との第１の回動アーム３５と第２の回動アーム３６との開き具合の違いによって、上記第２の支軸４４の第１のカム部７４ａと第２のカム部７４ｂとに対する係合状態が切り替わる。
【００７２】
具体的に、大径ディスク２Ａが挿入された場合には、第２の支軸４４が第１のカム部７４ａに係合されて、上述したカムレバー５６の左右方向のスライド動作に連動しながら、この第２の支軸４４がガイドスリット４５内をスライドすることになる。これにより、大径ディスク２Ａの外径に対応して、第１の回動アーム３５と第２の回動アーム３６とを互いに近接又は離間する方向に回動操作することができる。
【００７３】
一方、小径ディスク２Ｂが挿入された場合には、第２の支軸４４が第２のカム部７４ｂに係合されて、上述したカムレバー５６の左右方向のスライド動作に連動しながら、この第２の支軸４４がガイドスリット４５内をスライドすることになる。これにより、小径ディスク２Ｂの外径に対応して、第１の回動アーム３５と第２の回動アーム３６とを互いに近接又は離間する方向に回動操作することができる。
【００７４】
また、上記ディスク搬送機構３４は、図５に示すように、上述した第１の回動アーム３５と第２の回動アーム３６とを互いに近接する方向に付勢する付勢手段として、第１の捻りコイルバネ７５を有している。そして、この第１の捻りコイルバネ７５は、その巻回部分に第１の支軸３７が挿通された状態で、その一端部が第１の回動アーム３５の基端部に掛止され、その他端部が第２の回動アーム３６に掛止されことによって、上記第１の回動アーム３５と第２の回動アーム３６とを互いに近接する方向に付勢している。
【００７５】
また、上記ディスク搬送機構３４は、図６及び図１０に示すように、上述した第１の回動アーム３５と第２の回動アーム３６とを互いに近接する方向に付勢する付勢状態と非付勢状態とを切替え可能とする付勢切替手段として、第２の回動アーム３６を押圧する押圧レバー７６と、この押圧レバー７６を第１の回動アーム３５と第２の回動アーム３６とが互いに近接される方向に付勢する付勢手段である第２の捻りコイルバネ７７とを有している。
【００７６】
押圧レバー７６は、長尺状の板金からなり、その一端部に第２の回動アーム３６に当接される当接ピン７６ａと、その他端部に図１１に示す駆動レバー５２の上面部に形成されたカム溝７８に係合されるカムピン７６ｂとを有している。そして、この押圧レバー７６は、当接ピン７６ａが第２の回動アーム３６に当接される当接位置と、当接ピン７６ａが第２の回動アーム３６から離間する退避位置との間で回動可能な状態でシャーシ１１上に軸支されている。
【００７７】
第２の捻りコイルバネ７７は、その巻回部分がシャーシ１１に軸支された状態で、その一端部が同じくシャーシ１１に掛止され、その他端部が押圧レバー７６に掛止されることによって、この押圧レバー７６の当接ピン７６ａが第２の回動アーム３６に当接する方向に付勢している。
【００７８】
したがって、このディスク搬送機構３４では、押圧レバー７６が第２の回動アーム３６を押圧することによって、上述した第１の回動アーム３５と第２の回動アーム３６とが互いに近接する方向に付勢された状態から、上記駆動レバー５２の背面側へのスライド動作に連動して、押圧レバー７６のカムピン７６ｂが駆動レバー５２のカム溝７８内をスライドしながら、上記駆動レバー５２が背面側の端部までスライドされたとき、第２の捻りコイルバネ７７の付勢に抗して上記退避位置まで回動されることによって、非付勢状態に切り替えることが可能である。
【００７９】
上記第３の回動アーム４６は、図５及び図６に示すように、デッキ部４ａ上に配置された付勢手段である捻りコイルバネ７９によって付勢されている。この捻りコイルバネ７９は、その一端部がデッキ部４ａの掛止ピン７９ａに掛止され、その他端部が第３の回動アーム４６の下面に設けられた掛止ピン７９ｂに掛止されており、この記第３の回動アーム４６に付勢される付勢力の向きを、上述した光ディスク２の外周部に当接される方向と、光ディスク２の外周部から離間する方向とに切り替えることが可能である。
【００８０】
また、第３の回動アーム４６は、上記支軸４７が挿通される挿通される略Ｌ字状の軸孔４６ａと、図１１に示す駆動レバー５２の上面部に形成されたカム溝８０に係合されるカムピン４６ｂとを有している。そして、この第３の回動アーム４６は、図１２に示すように、上記駆動レバー５２のスライド動作に連動して、カムピン４６ｂがカム溝８０内をスライドすることによって回動操作される。また、この第３の回動アーム４６は、軸孔４６ａ内における支軸４７の位置によって、この第３の回動アーム４６の回動中心を切り替えることが可能となっている。
【００８１】
上記第４の回動アーム４９は、図５に示す連結機構８１を介して駆動レバー５２のスライド動作に連動して回動操作される。
【００８２】
具体的に、この連結機構８１は、上記第１の支軸３７を介して回動可能に支持されたクランクアーム８２ａと、このクランクアーム８２ａと第４の回動アーム４９との間を連接する連接アーム８２ｂとからなるクランク機構を有している。また、連接アーム８２ｂには、第２の回動アーム３６に設けられたガイドピン８３ａを挿通させる長孔８３ｂが形成されている。したがって、このクランク機構は、第４の回動アーム４９の回動動作に連動して、クランクアーム８２ａを回動させることが可能となっている。
【００８３】
また、この連結機構８１は、図７に示すように、ボトムケース４の底面部に、上述したクランクアーム８２ａを介して回動される第１のギヤ８４と、この第１のギヤ８４と噛み合わされる第２のギヤ８５と、この第２のギヤ８５と噛み合わされる第３のギヤ８６が形成された回動操作部材８７とを有している。
【００８４】
この回動操作部材８７は、駆動レバー５２のスライド動作に連動して、第４の回動アーム４９を回動操作するためのものであり、後述する駆動レバー５２のスライド部材９２と係合される係合ピン８８と、記録再生時に駆動レバー５２の背面側の端部に当接されて駆動レバー５２を位置決め固定する位置決めピン８９とを有している。
【００８５】
そして、この回動操作部材８７は、付勢手段である引張りコイルバネ９０によって回動方向の一方側（ここでは、図７中時計回りの方向）に付勢されている。この引張りコイルバネ９０は、その一端部がボトムケース４の底面部に設けられた掛止ピン９０ａに掛止され、その他端部が回動操作部材８７に設けられた掛止ピン９０ｂに掛止されることによって、この回動操作部材８７を回動方向の一方側に付勢している。なお、回動操作部材８７には、掛止ピン９０ａを逃がすための略円弧状のスリット９１が形成されている。
【００８６】
一方、上記駆動レバー５２の背面側には、この駆動レバー５２に対して前後方向にスライド可能とされたスライド部材９２が取り付けられている。そして、このスライド部材９２は、第１及び第２の引張りコイルバネ９３ａ，９３ｂにより前面側へと付勢されており、背面側の端部に回動操作部材８７の係合ピン８８が係合されることによって、駆動レバー５２のスライド動作に連動して、この回動操作部材８７を回動操作する。
【００８７】
第１及び第２の引張りコイルバネ９３ａ，９３ｂは、それぞれ前面側の端部が駆動レバー５２に掛止され、背面側の端部がスライド部材９２に掛止されることによって、スライド部材９２を駆動レバー５２に対して前面側へと付勢している。このうち、第１の引張りコイルバネ９３ａは、通常の駆動レバー５２及びスライド部材９２を一体で動作させるためのものであり、そのバネ力は、２００〜３００ｇｆ程度である。一方、第２の引張りコイルバネは、光ディスク２の正常な排出ができない場合に機構を保護するためのものであり、そのバネ力は、４００〜６００ｇｆ程度である。
【００８８】
したがって、この連結機構８１では、光ディスク２のローディング動作の際に、第４の回動アーム４９が背面側に向かって回動されると、上述したクランク機構８２を介して第１のギヤ８４が回動される。すると、第１のギヤ８４、第２のギヤ８５及び第３のギヤ８６の噛み合わせにより回動操作部材８７が引張りコイルバネ９０の付勢に抗して回動方向の他方側（ここでは、図７中反時計回りの方向）に回動される。これにより、第４の回動アームの背面側への回動に連動して、駆動レバー５２を背面側へとスライドさせることができる。
【００８９】
一方、光ディスク２のイジェクト動作の際には、駆動レバー５２が前面側へとスライド駆動されることによって、回動操作部材８７が回動方向の一方側（ここでは、図７中時計回りの方向）に回動される。これにより、第３のギヤ８６、第２のギヤ８５及び第１のギヤ８４の噛み合わせによりクランク機構８２を介して第４の回動アーム４９を前面側へと回動させることができる。
【００９０】
なお、上述した光ディスク２のイジェクト動作を補助するためのイジェクト補助手段として、ディスク挿脱口１９から挿入される光ディスク２の主面と平行な面内で揺動可能な第５の回動部材７１が第１の回動アーム３５に回動可能に取り付けられている。第５の回動部材７１には、ディスク挿脱口１９から挿入された光ディスク２の外周部の背面側に当接される第５の当接部材７２が上方に向かって突出して設けられている。これにより、上述したイジェクト動作をより確実に行うことが可能である。また、第５の回動部材７１は、図５に示すように、その外周部の所定の領域に亘って形成されたギヤ部７１ａを有し、このギヤ部７１ａがシャーシ１１上に配置された内歯ギヤ９４と噛合されることによって、第１の回動アーム３５の回動動作に連動しながら回動操作される。
【００９１】
上記ベース昇降機構５５により上記ベースユニット２２を昇降操作するため、上記駆動レバー５２は、図１１（ｃ）に示すように、ベース２７と対向する側面に形成された第１のカムスリット９５を有しており、この第１のカムスリット９５は、ベース２７を上記チャッキング解除位置に位置させるための第１の水平面部９５ａと、ベース２７を上記チャッキング位置に位置させるための頂上面部９５ｂと、ベース２７を上記中間位置に位置させるための第２の水平面部９５ｃとを有している。
【００９２】
一方、上記カムレバー５６のカム片５７には、図１３（ｂ）に示すように、第２のカムスリット９６が形成されており、この第２のカムスリット９６は、ベース２７を上記チャッキング解除位置に位置させるための第１の水平面部９６ａと、ベース２７を上記チャッキング位置に位置させるための頂上面部９６ｂと、ベース２７を上記中間位置に位置させるための第２の水平面部９６ｃとを有している。
【００９３】
ここで、上記カムレバー５６は、その主面に形成された前後一対のガイドスリット９７ａ，９７ｂを有しており、これらガイドスリット９７ａ，９７ｂに、図７に示すボトムケース４の底面部から突出された一対の頭付ガイドピン９８ａ，９８ｂが係合されることによって、ベース２７の背面側の側面に沿って、駆動レバー５２のスライド方向と略直交する左右方向にスライド可能に支持されている。
【００９４】
また、カムレバー５６の駆動レバー５２と交差する位置には、ガイドピン９９が上方に向かって突出形成されている。一方、図１１（ｄ）に示す駆動レバー５２の底面部には、このガイドピン９９が係合されるガイドスリット１００が形成されている。そして、このカムレバー５６は、図７に示すように、駆動レバー５２の前後方向のスライドに連動して、ガイドピン９９がガイドスリット１００内をスライドすることによって、駆動レバー５２のスライド方向と直交する方向にスライド操作される。
【００９５】
上記ベース２７は、上述した図９に示すように、駆動レバー５２と対向する側面のディスク装着部２３側に位置して、駆動レバー５２の第１のカムスリット９５に係合されて支持される第１の支軸５９と、カムレバー５６と対向する側面のディスク装着部２３側に位置して、カム片５７の第２のカムスリット９６及び折曲げ片５８の鉛直スリットに係合されて支持される第２の支軸６０と、駆動レバー５２と対向する側面とは反対側の側面の前面側に位置して、ボトムケース４の他方側の側面に設けられた軸孔６１に回動可能に支持された第３の支軸６２と、カムレバー５６と対向する側面とは反対側の側面の前面側に位置して、ゴム等の粘弾性部材からなるインシュレータ６３を介してボトムケース４の底面部にネジ６４により固定支持された固定支持部６５とを有している。
【００９６】
したがって、このベース昇降機構５５では、駆動レバー５２及びカムレバー５６のスライドに連動して、第１の支軸５９が駆動レバー５２の第１のカムスリット９５内をスライドすると共に、第２の支軸６０がカムレバー５６の第２のカムスリット９６及び折曲げ片５８の鉛直スリット内をスライドすることによって、ベース２７のディスク装着部２３側が前面側に対して、上記チャッキング位置と上記チャッキング解除位置と上記中間位置との間で昇降操作される。
【００９７】
具体的に、図１４に示すチャッキング解除位置においては、駆動レバー５２の前面側へのスライドに連動して、カムレバー５６が右側へとスライドされることによって、第１の支軸５９が第１のカムスリット９５内の第１の水平面部９４ａに位置し、第２の支軸６０が第２のカムスリット９６内の第１の水平面部９６ａに位置することになる。これにより、ベースユニット２２がチャッキング解除位置まで下降する。
【００９８】
また、図１５に示すチャッキング位置においては、駆動レバー５２の背面側へのスライドに連動して、カムレバー５６が左側へとスライドされることによって、第１の支軸５９が第１のカムスリット９５内の頂上面部９５ｂに位置し、第２の支軸６０が第２のカムスリット９６内の頂上面部９６ｂに位置することになる。これにより、ベースユニット２２がチャッキング位置まで上昇する。
【００９９】
また、図１６に示す中間位置においては、駆動レバー５２の背面側の端部のスライドに連動して、カムレバー５６が左側の端部までスライドされることによって、第１の支軸５９が第１のカムスリット９５内の第２の水平面部９５ｃに位置し、第２の支軸６０が第２のカムスリット９６内の第２の水平面部９６ｃに位置することになる。これにより、ベースユニット２２がチャッキング解除位置とチャッキング位置との間の中間位置まで下降する。
【０１００】
駆動レバー５２の前面側には、図１７及び図１８に示すように、この駆動レバー５２に対して所定のストロークだけ前後方向にスライド可能とされたラック部材１０１が取り付けられている。そして、このラック部材１０１には、前後方向に亘ってラックギヤ１０１ａが形成されている。一方、ボトムケース４の底面部には、図７に示すように、変位駆動機構を構成する駆動モータ１０２と、この駆動モータ１０２の回転軸に取り付けられたウォームギヤ１０３と、このウォームギヤ１０３からラックギヤ１０１ａへと駆動モータの動力を伝達するギヤ列１０４とが配置されている。
【０１０１】
したがって、この変位駆動機構は、図１７に示すように、駆動モータ１０２を一の方向に回動駆動することによって、ウォームギヤ１０３、ギヤ列１０４及びラックギヤ１０１ａ介してラック部材１０１が駆動レバー５２の背面側に引き込まれた状態で、上記駆動レバー５２をラック部材１０１と一体に背面側へと変位駆動する。一方、この変位駆動機構は、図１８に示すように、駆動モータ１０２を他の方向に回動駆動することによって、ウォームギヤ１０３、ギヤ列１０４及びラックギヤ１０１ａ介してラック部材１０１が駆動レバー５２の前面側に引き出された状態で、上記駆動レバー５２をラック部材１０１と一体に前面側へと変位駆動する。
【０１０２】
また、ボトムケース４の底面部には、図８に示すように、各部の駆動制御を行う駆動制御回路が構成された回路基板１０５が配置されている。この回路基板１０５は、ボトムケース４の背面側の底面部にネジ止めにより取り付けられている。また、このボトムケース４の底面部及び回路基板１０５上には、上記駆動制御回路を構成するＩＣチップ等の電子部品（図示せず。）や、各部の電気的な接続を図るためのコネクタ１０６、各部の動作を検出するための検出スイッチＳＷ１，ＳＷ２，ＳＷ３，ＳＷ４等が配置されている。
【０１０３】
そして、駆動制御回路は、これら検出スイッチＳＷ１，ＳＷ２，ＳＷ３，ＳＷ４からの検出信号に基づいて、上述した変位駆動機構により駆動される駆動レバー５２の位置を検出しながら、この変位駆動機構による駆動レバー５２の駆動制御を行っている。
【０１０４】
このうち、第１の検出スイッチＳＷ１は、ボトムケース４の前面側の端部に配置されている。そして、この第１の検出スイッチＳＷ１は、駆動レバー５２の前端部によってオン／オフが切り替わる。一方、第２乃至第３の検出スイッチＳＷ２，ＳＷ３，ＳＷ４は、回路基板１０５の駆動レバー５２と対向する端縁部に所定の間隔で前後に並んで配置されている。そして、これら第２乃至第４の検出スイッチＳＷ２，ＳＷ３，ＳＷ４は、図１１（ｂ），（ｃ）に示す駆動レバー５２の側面部に設けられたカム部１０７によってオン／オフが切り替わる。
【０１０５】
次に、以上のように構成されるディスクドライブ装置１の具体的な駆動制御について説明する。
【０１０６】
このディスクドライブ装置１では、先ず、光ディスク２が挿入された状態にある場合、図１９に示すタイミングチャートに従った駆動レバー５２の駆動制御を行いながら、光ディスク２が挿入される前の初期動作が行われ、それ以外の場合には、図２０に示すタイミングチャートに従った駆動レバー５２の駆動制御を行いながら、光ディスク２が挿入される前の初期動作が行われる。
【０１０７】
次に、筐体３のディスク挿脱口１９から大径ディスク２Ａが挿入されると、図２１に示すタイミングチャートに従った駆動レバー５２の駆動制御を行いながら、図２２乃至図２５に示す大径ディスク２Ａのローディング動作が行われる。
【０１０８】
具体的には、先ず、図２２に示す大径ディスク２Ａの挿入開始状態においては、押圧レバー７６の当接ピン７６ａが駆動レバー５２に当接されることによって、駆動レバー５２が前面側に向かって付勢されている。また、押圧レバー７６のカムピン７６ｂが駆動レバー５２のカム溝７８を押圧することによって、駆動レバー５２に前面側に向かう推力が生じている。
【０１０９】
次に、図２３に示す大径ディスク２Ａのローディング開始状態においては、大径ディスク２Ａに押圧された第４の回動アーム４９が背面側に向かって回動されると、連結機構８１を介して駆動レバー５２が背面側に向かってスライドする。このとき、第３の回動アーム４６のカムピン４６ｂが駆動レバー５２のカム溝８０内で移動が規制された状態となる。このため、駆動レバー５２に対してスライド部材９２が第１の引張りコイルバネ９３ａの付勢に抗して背面側へと移動する。そして、この第３の回動アーム４６が所定の角度位置、すなわち大径ディスク２Ａの引き込みが可能となったとき、駆動レバー５２が背面側に所定のストロークだけ移動したことを駆動制御回路が検出し、駆動モータ１０２の一の方向の回転駆動が開始される。
【０１１０】
次に、図２４に示す大径ディスク２Ａのセンタリング状態においては、第３の回動アーム４６の第３の当接部材４８と、第４の回動アーム４９の第４の当接部材５０と、第１の回動アーム３５の第１の背面側当接部材３９との間で大径ディスク２Ａのセンタリング動作が行われる。そして、図２５に示すように、大径ディスク２Ａのチャッキングが完了する。
【０１１１】
なお、このディスクドライブ装置１では、ベースユニット２２をチャッキング位置まで上昇させて、大径ディスク２Ａをターンテーブル２３ａに装着する１回目のチャッキング動作を行い、ベースユニット２２を中間位置まで下降させて、スピンドルモータ２４ａが大径ディスク２Ａを回転駆動し、当該ディスクの位相をずらした後に、再びベースユニット２２をチャッキング位置まで上昇させて、大径ディスク２Ａをターンテーブル２３ａに装着する２回目のチャッキング動作を行っている。
【０１１２】
次に、図２６に示す大径ディスク２Ａの記録再生状態においては、これら第３の回動アーム４６の第３の当接部材４８と、第４の回動アーム４９の第４の当接部材５０と、第１の回動アーム３５の第１の背面側当接部材３９とが大径ディスク２Ａの外周部から離間した状態となる。
【０１１３】
一方、このディスクドライブ装置１では、図２７に示すタイミングチャートに従った駆動レバー５２の駆動制御を行いながら、図２８及び図２９に示す大径ディスク２Ａのイジェクト動作が行われる。
【０１１４】
ここで、図２８に示す大径ディスク２Ａのイジェクト時においては、第３の回動アーム４６の軸孔４６ａ内における支軸４７の位置が切り替わることによって、この第３の回動アーム４６がローディング時よりも早いタイミングで大径ディスク２Ａの外周部から離間する方向に回動する。
【０１１５】
詳述すると、この第３の回動アーム４６は、駆動レバー５２の前面側のスライドに連動して、先ず、図１２（ａ）に示す状態から図１２（ｂ）に示す状態となる。このとき、カムピン４６ｂがカム溝８０内における右側に湾曲した部分をスライドすることによって、第３の回動アーム４６が反時計回りに回動する。
【０１１６】
次に、図１２（ｃ）に示す状態となるとき、カムピン４４ｂがカム溝８０内の傾斜面に当接されることによって、第３の回動アーム４６が左側に押し付けられる。このとき、支軸４７が軸孔４６ａ内におけるＬ字の下側の直線部分を通過する。この時点で大径ディスク２Ａがイジェクト可能な状態となる。
【０１１７】
次に、図１２（ｄ）に示す状態となるとき、軸孔４６ａ内における支軸４７の位置がＬ字の右側端部に切り替わることによって、ここを回転中心に第３の回動アーム４６が完全に開いた状態となる。
【０１１８】
次に、図１２（ｅ）に示す状態となるとき、第３の回動アーム４６が捻りコイルバネ７９に付勢されて、軸孔４６ａ内における支軸４７の位置がＬ字の左側端部に切り替わることによって、再びローディング前の状態に戻る。
【０１１９】
以上のようにして、このディスクドライブ装置１では、第３の回動アーム４６の回動中心を切り替えることによって、イジェクト時に第２の引張りコイルバネ９３ｂが引き延ばされた状態から第３の回動アーム４６が急激に開くのを防止することが可能であり、大径ディスク２Ａのイジェクト動作を安定的に行うことが可能である。
【０１２０】
これに対して、筐体３のディスク挿脱口１９から小径ディスク２Ｂが挿入されると、大径ディスク２Ａの場合と同じく図２１に示すタイミングチャートに従った駆動レバー５２の駆動制御を行いながら、図３０乃至図３４に示す小径ディスク２Ｂのローディング動作が行われる。
【０１２１】
具体的には、先ず、図３０に示す小径ディスク２Ｂの挿入開始状態においては、押圧レバー７６の当接ピン７６ａが駆動レバー５２に当接されることによって、駆動レバー５２が前面側に向かって付勢されている。また、押圧レバー７６のカムピン７６ｂが駆動レバー５２のカム溝７８を押圧することによって、駆動レバー５２に前面側に向かう推力が生じている。
【０１２２】
次に、図３１に示す小径ディスク２Ｂのローディング開始状態においては、小径ディスク２Ｂに押圧された第４の回動アーム４９が背面側に向かって回動されると、連結機構８１を介して駆動レバー５２が背面側に向かってスライドする。そして、駆動レバー５２が背面側に所定のストロークだけ移動したことを駆動制御回路が検出し、駆動モータ１０２の一の方向の回転駆動が開始される。そして、第３の回動アーム４６のカムピン４６ｂが駆動レバー５２のカム溝８０内を移動することで、第３の当接部材４８が小径ディスク２Ｂの外周部に当接した状態で、第３の回動アーム４６が小径ディスク２Ｂを引き込む方向に回動する。
【０１２３】
次に、図３２に示す小径ディスク２Ｂのセンタリング状態においては、第１の回動アーム３５の第１の前面側当接部材３８に設けられた背面の回転ローラ７３ｂと、第２の回動アーム３６の第２の前面側当接部材４０に設けられた背面側の回転ローラ７３ｂと、第４の回動アーム４９の第４の当接部材５０と、第１の回動アーム３５の第１の背面側当接部材３９との間で小径ディスク２Ｂのセンタリング動作が行われる。そして、図３３に示すように、小径ディスク２Ｂのチャッキングが完了する。
【０１２４】
なお、このディスクドライブ装置１では、ベースユニット２２をチャッキング位置まで上昇させて、小径ディスク２Ｂをターンテーブル２３ａに装着する１回目のチャッキング動作を行い、ベースユニット２２を中間位置まで下降させて、スピンドルモータ２４ａが小径ディスク２Ｂを回転駆動し、当該ディスクの位相をずらした後に、再びベースユニット２２をチャッキング位置まで上昇させて、小径ディスク２Ｂをターンテーブル２３ａに装着する２回目のチャッキング動作を行っている。
【０１２５】
次に、図３４に示す小径ディスク２Ｂの記録再生状態においては、これら第１の回動アーム３５の第１の前面側当接部材３８に設けられた背面の回転ローラ７３ｂと、第２の回動アーム３６の第２の前面側当接部材４０に設けられた背面側の回転ローラ７３ｂと、第４の回動アーム４９の第４の当接部材５０と、第１の回動アーム３５の第１の背面側当接部材３９とが小径ディスク２Ｂの外周部から離間した状態となる。
【０１２６】
一方、このディスクドライブ装置１では、図３５に示すタイミングチャートに従った駆動レバー５２の駆動制御を行いながら、図３６及び図３７に示す小径ディスク２Ｂのイジェクト動作が行われる。
【０１２７】
具体的には、先ず、図３６に示す小径ディスク２Ｂのイジェクト状態においては、駆動レバー５２が前面側に向かってスライドするのに伴って、第４の回動アーム４９が連結機構８１を介して前面側に回動されると共に、押圧レバー７６の当接ピン７６ａが駆動レバー５２に当接されて、第１の回動アーム３５と第２の回動アーム３６とを互いに近接する方向に付勢する。これにより、図３７に示すように、小径ディスク２Ｂを勢いよく排出することが可能である。
【０１２８】
また、このディスクドライブ装置１は、図３８及び図３９に示すように、ボトムケース４の前面側にディスク挿脱口１９から挿入される光ディスク２の挿入角度を規制しながら案内する第１のディスクガイド機構１０８と、ターンテーブル２３ａに光ディスク２が装着された状態において、新たな光ディスク２がディスク挿脱口１９から筐体３の内部に挿入されるのを防止するためのシャッタ開閉機構１０９とを備えている。
【０１２９】
第１のディスクガイド機構１０８は、図３８，図３９及び図４０に示すように、ベース昇降機構５５によるベースユニット２２の昇降動作に同期しながら昇降操作される挿入ガイドレバー１１０を有している。この挿入ガイドレバー１１０は、光ディスク２との摩擦が少ない樹脂部材からなり、光ディスク２の挿入方向に沿って配置されると共に、基端側に設けられた支軸１１１がモータケース１１２の背面側に設けられた軸受部１１３に係合されて回動可能に支持されている。また、挿入ガイドレバー１１０の上面部には、大径ディスク２Ａ及び小径ディスク２Ｂに対応するため、ディスク挿脱口１９に沿った横長のガイド片１１０ａが前面側に向かって突出形成されている。また、挿入ガイドレバー１１０には、ベース２７に設けられた押圧片１１４によって押圧される被押圧片１１０ｂが背面側の側面から突出形成されている。
【０１３０】
また、挿入ガイドレバー１１０のガイド片１１０ａの下面には、モータケース１１２の背面に支持されたトーションバー１１５の一端が係合されている。このトーションバー１１５は、モータケース１１２に取り付けられた捻りコイルバネ１１６に挿通された状態で、この捻りコイルバネ１１６の付勢力により一端を上方に向け、他端を下方に向けた状態となっている。
【０１３１】
そして、この第１のディスクガイド機構１０８では、図４１（ａ）に示すように、ベース２７がチャッキング解除位置にあるとき、ベース２７の押圧片１１４が挿入ガイドレバー１１０の被押圧片１１０ｂを下方に押圧することよって、挿入ガイドレバー１１０のガイド片１１０ａを逆にディスク挿脱口１９から挿入される光ディスク２の挿入角度を規制する位置まで上昇させることができる。一方、図４１（ｂ）に示すように、ベース２７が中間位置にあるとき、挿入ガイドレバー１１０の被押圧片１１０ｂに対するベース２７の押圧片１１４の押圧が解除されることによって、挿入ガイドレバー１１０のガイド片１１０ａをターンテーブル２３ａに装着された光ディスク２の信号記録面から離間する位置まで下降させることができる。
【０１３２】
したがって、このディスクドライブ装置１では、ベース昇降機構５５によるベース２７の昇降動作に連動しながら、第２のディスクガイド機構１０８が挿入ガイドレバー１１０を昇降操作することから、筐体３のディスク挿脱口１９から外径の異なる大径ディスク２Ａ又は小径ディスク２Ｂを挿入した際に、挿入ガイドレバー１１０のガイド片１１０ａがディスク挿脱口１９から挿入された光ディスク２の挿入角度を規制しながら、当該光ディスク２を筐体３の内部へと案内することによって、当該光ディスク２の信号記録面が筐体３内の部品と接触して傷付くのを防ぐとともに、その後の光ディスク２のローディング動作を適切且つ確実に行うことが可能である。特に、この挿入ガイドレバー１１０のガイド片１１０ａは、ディスク挿脱口１９に沿った横長形状を有することから、大径ディスク２Ａだけでなく、この大径ディスク２Ａよりも小径とされた小径ディスク２Ｂにも対応可能である。
【０１３３】
また、挿入ガイドレバー１１０のガイド片１１０ａには、図４に示すように、光ディスク２の摺接面に光ディスク２の信号記録面に傷が付くことを防止するための繊維シート１３０が貼着されている。繊維シート１３０は、図４２に示すように、ガイド片１１０ａと略同一の大きさにカットされた不織布１３１の一面にアクリル系感圧性接着剤１３２が塗布され、剥離紙１３３が貼着されたシートであり、ディスクドライブ装置１の製造工程において、剥離紙１３３が剥離され、ガイド片１１０ａのディスク摺接面に貼着される。この繊維シート１３０の不織布１３１には、例えば、人工皮革スエード（ポリエステル繊維にポリウレタン樹脂が含浸された材料）を用いることができる。
【０１３４】
これにより、挿入ガイドレバー１１０のガイド片１１０ａに、ディスク挿脱口１９から挿入された光ディスク２が摺接され挿入角度を規制する際にも、光ディスク２の信号記録面に傷付くのを防ぐことが可能である。なお、繊維シート１３０は、ガイド片１１０ａの摺接面が相当の面積を備えているため、接着剤１３２の塗布面積を相当量確保できることから、光ディスク２が繰り返し摺接された場合でもガイド片１１０ａから剥離することはない。また同様に、上記ガイド板１７に貼着された繊維シート１３０も、図４に示すように、ガイド板１７のディスク摺接面が相当の面積を備えているため、接着剤１３２の塗布面積を相当量確保することができ、光ディスク２が繰り返し摺接されることによっても剥離することがない。
【０１３５】
また、ディスクドライブ装置１は、図３８，図３９及び図４３に示すように、ディスク挿脱口１９から挿入された小径ディスク２Ｂを第４の回動アーム４９の第４の当接部材５０と当接可能な高さに規制しながら、筐体３の内部へと案内する第２のディスクガイド機構１１８を備えている。
【０１３６】
この第２のディスクガイド機構１１８は、第４の回動アーム４９の先端部近傍に、ベース昇降機構５５によるベースユニット２２の昇降動作に同期しながら昇降操作されるガイドレバー１１９を有している。このガイドレバー１１９は、光ディスク２との摩擦が少ない樹脂部材からなり、小径ディスク２Ｂの挿入、排出方向に沿って配置されると共に、基端側に設けられた支軸１１９ａがボトムケース４の底面部に設けられた軸受部材１２０の軸受部１２０ａに係合されて回動可能に支持されている。
【０１３７】
また、ガイドレバー１１９の先端側には、ガイドピン１１９ｂが駆動レバー５２に向かって突出形成されている。一方、駆動レバー５２には、図１１（ｂ），（ｃ）に示すように、このガイドピン１１９ｂが摺接されるカム部１２１が設けられている。一方、ガイドレバー１１９の基端側には、弾性片１１９ｃが前面側から背面側に向かって延長して設けられている。そして、この弾性片１１９ｃの先端部が軸受部材１２０の係止部１２０ｂに係止されている。したがって、このガイドレバー１１９の先端側は、この弾性片１１９ｃの弾性力によって下方に向かって付勢されることになる。
【０１３８】
また、ガイドレバー１１９の前面側の上面部には、ディスク挿脱口１９から挿入された小径ディスク２Ｂを筐体３内の部品と接触して傷付くのを防ぐディスクガイド部１１９ｄが設けられている。ディスクガイド部１１９ｄは、図４、図４４（ａ）及び図４４（ｂ）に示すように、ガイドレバー１１９の上面から立設された断面略Ｔ字状のディスク摺接部１３５と、小径ディスク２Ｂが摺接する繊維シート１３６が設けられている。ディスク摺接部１３５は、小径ディスク２Ｂとの摩擦の少ない樹脂部材からなり、小径ディスク２Ｂの挿入方向に沿って主面部１３５ａが延設されている。この主面部１３５ａは、後述するようにガイドレバー１１９が小径ディスク２Ｂの挿入に伴って上昇操作されることにより、小径ディスク２Ｂの搬送領域上に臨まされ、小径ディスク２Ｂの信号記録面が摺接される。これによりディスク摺接部１３５は、小径ディスク２Ｂの信号記録面が筐体３内の部品と接触して傷付くのを防ぐとともに、その後の小径ディスク２Ｂのローディング動作を適切且つ確実に行うことを可能とする。
【０１３９】
このディスク摺接部１３５には、小径ディスク２Ｂの信号記録面に傷が付くことを防止する繊維シート１３６が貼着されている。繊維シート１３６は、略矩形状に形成され、ディスク摺接部１３５の主面部１３５ａと同じ幅を有し、かつ主面部１３５ａよりも長尺に形成されている。そして繊維シート１３６は、長手方向の中間部１３６ａをディスク摺接部１３５の主面部１３５ａに貼着されるとともに、主面部１３５ａの長手方向両端部で折り曲げられた一対の折曲げ部１３６ｂ，１３６ｂを、ディスク摺接部１３５が立設されたガイドレバー１１９の上面に接着されることによりディスク摺接部１３５に巻き付けられるようにして貼着されている。
【０１４０】
この繊維シート１３６は、図４５に示すように、ディスク摺接部１３５よりも長尺にカットされた不織布１３７にアクリル系感圧性接着剤１３８が塗布され、剥離紙１３９が貼着されたシートである。繊維シート１３６は、ディスク摺接部１３５の主面部１３５ａに貼着される中間部１３６ａには、不織布１３７の主面部１３５ａと対峙する一面１３７ａに接着剤１３８が塗布され、主面部１３５ａの両端部で折り返されガイドレバー１１９の上面部に貼着される折曲げ部１３６ｂ，１３６ｂには、不織布１３７のガイドレバー１１９の上面部と対峙する他面１３７ｂに、スペーサとなるＰＥＴ樹脂層１３４を介して接着剤１３８が塗布され、それぞれ剥離紙１３９が貼着される。
【０１４１】
そして、ディスクドライブ装置１の製造工程において繊維シート１３６は、先ず、中間部１３６ａに貼着された剥離紙１３９を剥離し、中間部１３６ａをディスク摺接部１３５の主面部１３５ａに貼り付ける。次いで、一方の折曲げ部１３６ｂに貼着された剥離紙１３９を剥離するとともに当該一方の折曲げ部１３６ｂをディスク摺接部１３５の長手方向先端部とガイドレバー１１９の上面との間よりディスク摺接部１３５の下方に挿入し、折曲げ部１３６ｂをガイドレバー１１９の上面部に貼着する。次いで他方の折曲げ部１３６ｂも同様にしてガイドレバー１１９の上面部に貼着する。
【０１４２】
これにより繊維シート１３６は、断面略Ｔ字状に立設されたディスク摺接部１３５に巻き付けるようにして貼着される。このとき、繊維シート１３６は、折曲げ部１３６ｂ，１３６ｂのガイドレバー１１９の上面と対峙する不織布１３７の他面１３７ｂ側に接着剤が塗布されているため、不織布１３７が折り返されることにより折曲げ部１３６ｂに弾性力が発生しても、当該弾性力がかかる方向に貼着されることとなる。したがって、繊維シート１３７は、折曲げ部１３６ｂ，１３６ｂに生じた弾性力をガイドレバー１１９の上面部で受け、この弾性力を利用して該上面部に接着されるため、ガイドレバー１１９に確実に貼着されることができる。
【０１４３】
ここで、繊維シート１３６が貼着されるディスク摺接部１３５は、主面部１３５ａが狭小な面積で形成されているため、中間部１３６ａに塗布された接着剤１３８のみによって主面部１３５ａ上に貼着された場合には、小径ディスク２Ｂが繰り返し摺接することにより主面部１３５ａから剥離してしまうおそれがある。しかし、繊維シート１３６は、上述したように、ディスク摺接部１３５に巻き付けられることにより貼着されているため、小径ディスク２Ｂによって繰り返し摺接された場合にも、主面部１３５ａからの剥離を確実に防止することができる。また、繊維シート１３６は、折曲げ部１３６ｂに中間部１３６ａとは反対側の面に接着剤を塗布し、ガイドレバー１１９の上面と接着させることにより、不織布１３７を折り返すことにより生じた弾性力を利用して接着させることができる。したがって、繊維シート１３６は、ディスク摺接部１３５へ確実に巻き付けられ、より剥離を防止することができる。
【０１４４】
なお、この繊維シート１３０の不織布には、例えば、人工皮革スエード（ポリエステル繊維にポリウレタン樹脂が含浸された材料）を用いることができる。
【０１４５】
一方、ガイドレバー１１９の背面側の上面部には、小径ディスク２Ｂをディスク挿脱口１９から筐体３の外部へと排出する際に、この第４の回動アーム４９を高さ方向に規制しながら背面側から前面側へと案内するアームガイド部１１９ｅが設けられている。これにより、第４の回動アーム４９が背面側から前面側へと回動された際に、この第４の回動アーム４９の第４の当接部材５０とターンテーブル２３ａの係合突部２８ａとの衝突を回避することが可能である。
【０１４６】
そして、このガイドレバー１１９は、駆動レバー５２が前後方向にスライドされると、ガイドピン１１９ｂがカム部１２１の上面部をスライドすることによって、ディスク挿脱口１９から挿入された小径ディスク２Ｂを高さ方向に規制するガイド位置と、ターンテーブル２３ａに装着された小径ディスク２Ｂの下面から離間する退避位置との間で昇降動作される。ガイドレバー１１９は、ガイド位置に上昇されると、ディスクガイド部１１９ｄのディスク摺接部１３５が小径ディスク２Ｂの搬送領域に突出され、小径ディスク２Ｂが確実にディスク摺接部１３５の主面部１３５ａのみに摺動させることができる。
【０１４７】
したがって、このディスクドライブ装置１では、筐体３のディスク挿脱口１９から小径ディスク２Ｂを挿入した際に、第４の回動アーム４９の先端部近傍に位置するガイドレバー１１９がディスク挿脱口１９から挿入された小径ディスク２Ｂを第４の回動アーム４９の第４の当接部材５０と当接可能な高さに規制しながら、筐体３の内部へと案内することによって、当該小径ディスク２Ｂの信号記録面が筐体３内のディスク摺接部１３５以外の部品と接触して傷付くのを防ぐとともに、その後の小径ディスク２Ｂのローディング動作を適切且つ確実に行うことが可能である。
【０１４８】
なお、上記挿入ガイドレバー１１０は、第２の回動アーム３６の先端部近傍に位置しており、ディスク挿脱口１９から挿入された光ディスク２を第２の回動アーム３６の第２の前面側当接部材４０と当接可能な高さに規制しながら筐体３の内部へと案内する上記ガイドレバー１１９と同様の機能も有している。このとき、挿入ガイドレバー１１０は、ガイド片１１０ａに、上述した繊維シート１３０が貼着されているため、光ディスク２の信号記録面を傷つけることなくガイドすることができる。
【０１４９】
シャッタ開閉機構１０９は、図３８，図３９及び図４６に示すように、上述した第１のディスクガイド機構１０８による挿入ガイドレバー１１０の昇降動作に同期しながら昇降操作されるシャッタ部材１１７を有している。このシャッタ部材１１７は、略矩形状の平板部材からなり、背面側がボトムケース４の前面に設けられた鉛直スリット１１８に係合されて上下方向にスライド可能に支持されている。また、このシャッタ部材１１７の両側面部には、大径ディスク２Ａ及び小径ディスク２Ｂに対応するため、ディスク挿脱口１９に沿って延長された一対のシャッタ片１１７ａが設けられている。そして、このシャッタ部材１１７の背面側をトーションバー１１５の他端が支持している。これにより、シャッタ部材１１７は、下方に保持されている。
【０１５０】
そして、このシャッタ部材１１７は、第１のディスクガイド機構１０８による挿入ガイドレバー１１０の昇降動作に同期しながら、ディスク挿脱口１９から挿入される光ディスク２の進路を塞ぐ閉塞位置と、ディスク挿脱口１９から挿入される光ディスク２の進路を開放する開放位置との間で昇降動作される。
【０１５１】
具体的に、このシャッタ開閉機構１０９では、図４１（ａ）に示すように、ベース２７がチャッキング解除位置にあるとき、シャッタ部材１１７をディスク挿脱口１９から挿入される光ディスク２の進路を開放する開放位置まで下降させることができる。一方、このシャッタ開閉機構１０９では、図４１（ｂ）に示すように、ベース２７が中間位置にあるとき、挿入ガイドレバー１１０が上昇すると、モータケース１１２に支持されたトーションバー１１５が軸回りに回転し、シャッタ部材１１７を上方に向かって押し上げる。これにより、シャッタ部材１１７をディスク挿脱口１９から挿入される光ディスク２の進路を塞ぐ閉塞位置まで上昇させることができる。
【０１５２】
したがって、このディスクドライブ装置１では、ターンテーブル２３ａに光ディスク２が装着された状態において、シャッタ部材１１７により新たな大径ディスク２Ａ又は小径ディスク２Ｂがディスク挿脱口１９から筐体３の内部に挿入されるのを防ぐことが可能である。特に、このシャッタ部材１１７の一対のシャッタ片１１７ａは、ディスク挿脱口１９に沿って延長された両翼形状を有することから、このシャッタ部材１１７とディスク挿脱口１９との間の隙間から小径ディスク２Ｂが挿入されるのを防ぐことが可能である。
【０１５３】
なお、本発明が適用されたディスクドライブ装置１のガイドレバー１１９に形成されたディスクガイド部１１９ｄは、上述した以外にも以下のような構成を備えることができる。なお、以下に示すディスクドライブ装置の構成中、上記ディスクドライブ装置１と同一の部材については同一の符号を付してその詳細を省略する。
【０１５４】
このディスクガイド部１１９ｄは、図４７に示すように、繊維シート１３６の折曲げ部１３６ｂ，１３６ｂの、中間部１３６ａと同じ側の面、すなわち不織布１３７がディスク摺接部１３５の主面部１３５ａと対峙する一面１３７ａに接着剤１３８を塗布し、主面部１３５ａの裏面側に折曲げ部１３６ｂ，１３６ｂを貼着させるようにしてもよい。
【０１５５】
この場合でも、繊維シート１３６は、ディスク摺接部１３５への接着面として主面部１３５ａ及び主面部１３５ａの裏面側を用いることができるため、主面部１３５ａのみに貼着する場合と比して、接着剤の塗布量も多く、またディスク摺接部１３５に巻き付けるようにして貼着することができるため、小径ディスク２Ｂに繰り返し摺接された場合にも剥離することがない。
【０１５６】
また、本発明が適用されたディスクガイド部１１９ｄは、図４８に示すように、ディスク摺接部１３５が立設されたガイドレバー１１９の上面と、ディスク摺接部１３５の長手方向両端部とのクリアランスＷ１を繊維シート１３６の不織布１３７の厚みＷ２よりも小さく形成してもよい。この場合、繊維シート１３６は、折曲げ部１３６ｂをディスク摺接部１３５へ貼着する際、ディスク摺接部１３５とガイドレバー１１９の上面部との間のクリアランスに圧入され、当該上面部あるいは主面部１３５ａの裏面側に貼着される。
【０１５７】
これにより繊維シート１３６は、折曲げ部１３６ｂがガイドレバー１１９とディスク摺接部１３５との間で挟持されるため、小径ディスク２Ｂが繰り返し摺接された場合にも、ディスク摺接部１３５からの剥離を防止することができる。
【０１５８】
また、本発明が適用されたディスクガイド部１１９ｄは、図４９に示すように、上面に断面略矩形の凸形状のディスク摺接部１４０が形成され、繊維シート１４１をディスク摺接部１４０の主面部１４０ａ及び長手方向の両側面部１４０ｂ，１４０ｂに貼着するようにしてもよい。ディスク摺接部１４０は、上記ディスク摺接部１３５と同様に、小径ディスク２Ｂとの摩擦の少ない樹脂部材からなり、小径ディスク２Ｂの挿入方向に沿って主面部１４０ａが延設されている。この主面部１４０ａは、ガイドレバー１１９が小径ディスク２Ｂの挿入に伴って上昇操作されることにより、小径ディスク２Ｂの搬送領域上に臨まされ、小径ディスク２Ｂの信号記録面が摺接される。
【０１５９】
このディスク摺接部１４０に貼着される繊維シート１４１は、ディスク摺接部１４０の主面部１４０ａの長さよりも長尺に形成され、長手方向の中間部１４１ａをディスク摺接部１４０の主面部１４０ａに貼着されるとともに、長手方向両端部でディスク摺接部１４０の両側面部１４０ｂ，１４０ｂに沿って折り曲げられた一対の折曲げ部１４１ｂ，１４１ｂがディスク摺接部１４０の両側面部１４０ｂ，１４０ｂに沿って接着されている。
【０１６０】
この繊維シート１４１は、上記繊維シート１３６と同様に、不織布の一面に接着剤が塗布され、剥離紙が貼着されたシートである。そしてディスクドライブ装置１の製造工程において、繊維シート１４１は、先ず、中間部１４１ａに貼着された剥離紙を剥離し、中間部１４１ａをディスク摺接部１４０の主面部１４０ａに貼り付ける。次いで、一方の折曲げ部１４１ｂに貼着された剥離紙を剥離するとともに当該一方の折曲げ部１４１ｂをディスク摺接部１４０の一方の側面部１４０ｂに貼着する。次いで他方の折曲げ部１４１ｂも同様にしてディスク摺接部１４０の他方の側面部１４０ｂに貼着する。
【０１６１】
これにより繊維シート１４１は、中間部１４１ａが断面略矩形状に凸設されたディスク摺接部１４０の主面部１４０ａに長手方向に沿って貼着されるとともに、一対の折曲げ部１４１ｂ，１４１ｂがディスク摺接部１４０の両側面１４０ｂ，１４０ｂに貼着されることにより、接着面積を大幅に増やすことができる。したがって、狭小な面積しか有さないディスク摺接部１４０の主面部１４０ａにも繊維シート１４１を強固に貼着することができ、小径ディスク２Ｂが繰り返し摺接された場合にも繊維シート１４１が主面部１４０ａから剥離することを防止することができる。
【０１６２】
なお、この繊維シート１４１においても、不織布として例えば人工皮革スエード（ポリエステル繊維にポリウレタン樹脂が含浸された材料）を用いることができる。
【０１６３】
また繊維シート１４１は、折曲げ部１４１ｂ，１４１ｂを接着剤によってディスク摺接部１４０の両側面部１４０ｂ，１４０ｂに貼着するほか、加熱溶着によって貼着するようにしてもよい。またディスク摺接部１４０の両側面部１４０ｂ，１４０ｂに熱カシメ用の突起部を突設し、これら突起部１４２に繊維シート１４１を挿通し、突起部の先端を熱カシメによってかしめることにより、ディスク摺接部１４０の両側面部１４０ｂ、１４０ｂに確実に貼着させることができる。その他、繊維シート１４１は、ディスク摺接部１４０からの剥離を防止することができる公知の手段を用いることができる。
【図面の簡単な説明】
【０１６４】
【図１】ディスクドライブ装置が搭載されたノート型パーソナルコンピュータの外観を示す斜視図である。
【図２】ディスクドライブ装置の外観を示す斜視図である。
【図３】トップカバーを内面側から見た斜視図である。
【図４】ディスクドライブ装置のトップカバーを取り外した状態を示す斜視図である。
【図５】ディスクドライブ装置のトップカバーを取り外した状態を示す平面図である。
【図６】ディスクドライブ装置の一部の部品を取り外した状態を示す平面図である。
【図７】ディスクドライブ装置の更に一部の部品を取り外した状態を示す平面図である。
【図８】ディスクドライブ装置の駆動レバーと検出スイッチとの位置関係を示す平面図である。
【図９】ベースユニットの構成を示す斜視図である。
【図１０】押圧レバーと駆動レバーとの係合状態を示す要部平面図である。
【図１１】（ａ）は、駆動レバーを一方側から見た側面図であり、（ｂ）は、駆動レバーを上方側から見た平面図であり、（ｃ）は、駆動レバーを他方側から見た側面図であり、（ｄ）は、駆動レバーを下方側から見た平面図である。
【図１２】イジェクト時の第３の回動アームの動作を説明するための平面図である。
【図１３】（ａ）は、カムレバーの構成を示す平面図であり、（ｂ）は、カムレバーの構成を示す側面図である。
【図１４】ベース昇降機構の動作を説明するための図であり、（ａ）は、ベースユニットがチャッキング解除位置にある状態を示す平面図であり、（ｂ）は、そのチャッキング解除位置におけるベースの第１の支軸と駆動レバーの第１のカムスリットとの位置関係を示す側面図であり、（ｃ）は、そのチャッキング解除位置におけるベースの第２の支軸とカム片の第２のカムスリットとの位置関係を示す側面図であり、（ｄ）は、そのチャッキング解除位置におけるベースユニットの位置を示す側面図である。
【図１５】ベース昇降機構の動作を説明するための図であり、（ａ）は、ベースユニットがチャッキング位置にある状態を示す平面図であり、（ｂ）は、そのチャッキング位置におけるベースの第１の支軸と駆動レバーの第１のカムスリットとの位置関係を示す側面図であり、（ｃ）は、そのチャッキング位置におけるベースの第２の支軸とカム片の第２のカムスリットとの位置関係を示す側面図であり、（ｄ）は、そのチャッキング位置におけるベースユニットの位置を示す側面図である。
【図１６】ベース昇降機構の動作を説明するための図であり、（ａ）は、ベースユニットが中間位置にある状態を示す平面図であり、（ｂ）は、その中間位置におけるベースの第１の支軸と駆動レバーの第１のカムスリットとの位置関係を示す側面図であり、（ｃ）は、その中間位置におけるベースの第２の支軸とカム片の第２のカムスリットとの位置関係を示す側面図であり、（ｄ）は、その中間位置におけるベースユニットの位置を示す側面図である。
【図１７】（ａ）は、ローディング動作時の駆動レバーを下方側から見た平面図であり、（ｂ）は、駆動レバーを上方側から見た平面図である。
【図１８】（ａ）は、イジェクト動作時の駆動レバーを下方側から見た平面図であり、（ｂ）は、駆動レバーを上方側から見た平面図である。
【図１９】ディスクドライブ装置のディスクあり・初期動作時における第１のスイッチ、第２のスイッチ、第３のスイッチ及び第４のスイッチの切替状態を示すタイミングチャートである。
【図２０】ディスクドライブ装置のディスクなし・初期動作時における第１のスイッチ、第２のスイッチ、第３のスイッチ及び第４のスイッチの切替状態を示すタイミングチャートである。
【図２１】ディスクドライブ装置のローディング動作時における第１のスイッチ、第２のスイッチ、第３のスイッチ及び第４のスイッチの切替状態を示すタイミングチャートである。
【図２２】ディスクドライブ装置の動作を説明するための図であり、大径ディスクの挿入開始状態を示す平面図である。
【図２３】ディスクドライブ装置の動作を説明するための図であり、大径ディスクのローディング開始状態を示す平面図である。
【図２４】ディスクドライブ装置の動作を説明するための図であり、大径ディスクのセンタリング状態を示す平面図である。
【図２５】ディスクドライブ装置の動作を説明するための図であり、大径ディスクのチャッキング完了状態を示す平面図である。
【図２６】ディスクドライブ装置の動作を説明するための図であり、大径ディスクの記録再生状態を示す平面図である。
【図２７】ディスクドライブ装置の大径ディスク・イジェクト動作時における第１のスイッチ、第２のスイッチ、第３のスイッチ及び第４のスイッチの切替状態を示すタイミングチャートである。
【図２８】ディスクドライブ装置の動作を説明するための図であり、大径ディスクのイジェクト状態を示す平面図である。
【図２９】ディスクドライブ装置の動作を説明するための図であり、大径ディスクの排出完了状態を示す平面図である。
【図３０】ディスクドライブ装置の動作を説明するための図であり、小径ディスクの挿入開始状態を示す平面図である。
【図３１】ディスクドライブ装置の動作を説明するための図であり、小径ディスクのローディング開始状態を示す平面図である。
【図３２】ディスクドライブ装置の動作を説明するための図であり、小径ディスクのセンタリング状態を示す平面図である。
【図３３】ディスクドライブ装置の動作を説明するための図であり、小径ディスクのチャッキング完了状態を示す平面図である。
【図３４】ディスクドライブ装置の動作を説明するための図であり、小径ディスクの記録再生状態を示す平面図である。
【図３５】ディスクドライブ装置の小径ディスク・イジェクト動作時における第１のスイッチ、第２のスイッチ、第３のスイッチ及び第４のスイッチの切替状態を示すタイミングチャートである。
【図３６】ディスクドライブ装置の動作を説明するための図であり、小径ディスクのイジェクト状態を示す平面図である。
【図３７】ディスクドライブ装置の動作を説明するための図であり、小径ディスクの排出完了状態を示す平面図である。
【図３８】第１のディスクガイド機構、第２のディスクガイド機構及びシャッタ開閉機構と小径ディスクとの位置関係を示す平面図である。
【図３９】第１のディスクガイド機構、第２のディスクガイド機構及びシャッタ開閉機構と大径ディスク及び小径ディスクとの位置関係を示す平面図である。
【図４０】第１のディスクガイド機構の構成を示す要部図である。
【図４１】第１のディスクガイド機構及びシャッタ開閉機構の動作を説明するための図であり、（ａ）は、ベースユニットがチャッキング解除位置にある状態を示す断面図であり、（ｂ）は、ベースユニットが記録再生位置にある状態を示す断面図である。
【図４２】繊維シートの構成を示す断面図である。
【図４３】第２のディスクガイド機構の動作を説明するための図であり、（ａ）は、ベースユニットがチャッキング解除位置にある状態を示す断面図であり、（ｂ）は、ベースユニットが記録再生位置にある状態を示す断面図である。
【図４４】ガイドレバーに設けられたディスク摺接部を示す断面図である。
【図４５】ディスク摺接部に貼着された繊維シートの構成を示す断面図である。
【図４６】シャッタ開閉機構の構成を示す要部正面図である。
【図４７】ガイドレバーに設けられたディスク摺接部の他の例を示す断面図である。
【図４８】ディスク摺接部及び繊維シートの厚さを比較して示す図である。
【図４９】ガイドレバーに設けられたディスク摺接部の他の例を示す断面図である。
【符号の説明】
【０１６５】
１  ディスクドライブ装置、２  光ディスク、３  筐体、４  ボトムケース、５  トップカバー、８  ガイド部材、９  ガイド溝、１１  シャーシ、１８  フロントパネル、１９  ディスク挿脱口、２２  ベースユニット、２３  ディスク装着部、２３ａ  ターンテーブル、２４  ディスク回転駆動機構、２５  光ピックアップ、２６  ピックアップ送り機構、２７  ベース、２８  チャッキング機構、３４  ディスク搬送機構、３５  第１の回動アーム、３６  第２の回動アーム、３８  第１の前面側当接部材、３９  第１の背面側当接部材、４０  第２の前面側当接部材、４１  連動機構、４６  第３の回動アーム、４８  第３の当接部材、４９  第４の回動アーム、５０  第４の当接部材、５２  駆動レバー、５５  ベース昇降機構、５６  カムレバー、６６  押上ピン、７１  第５の回動部材、７２  第５の当接部材、８１  連結機構、１０１  ラック部材、１０８  第１のディスクガイド機構、１０９  シャッタ開閉機構、１１０  挿入ガイドレバー、１１７  シャッタ部材、１１８  第２のディスクガイド機構、１１９  ガイド部材、１１９ｄ  ディスクガイド部、１３０  繊維シート、１３１  不織布、１３２  接着剤、１３３  剥離紙、１３４  ＰＥＴ樹脂層、１３５  ディスク摺接部、１３５ａ  主面部、１３５ｂ  側面部、１３６  繊維シート、１３６ａ  中間部、１３６ｂ  折曲げ部、１３７  不織布、１３８  接着剤、１３９  剥離紙、１４０  ディスク摺接部、１４０ａ  主面部、１４０ｂ  側面部、１４１  剥離シート、１４１ａ  中間部、１４１ｂ  折曲げ部
【図１】
2006302453.tif 000003
【図２】
2006302453.tif 000004
【図３】
2006302453.tif 000005
【図４】
2006302453.tif 000006
【図５】
2006302453.tif 000007
【図６】
2006302453.tif 000008
【図７】
2006302453.tif 000009
【図８】
2006302453.tif 000010
【図９】
2006302453.tif 000011
【図１０】
2006302453.tif 000012
【図１１】
2006302453.tif 000013
【図１２】
2006302453.tif 000014
【図１３】
2006302453.tif 000015
【図１４】
2006302453.tif 000016
【図１５】
2006302453.tif 000017
【図１６】
2006302453.tif 000018
【図１７】
2006302453.tif 000019
【図１８】
2006302453.tif 000020
【図１９】
2006302453.tif 000021
【図２０】
2006302453.tif 000022
【図２１】
2006302453.tif 000023
【図２２】
2006302453.tif 000024
【図２３】
2006302453.tif 000025
【図２４】
2006302453.tif 000026
【図２５】
2006302453.tif 000027
【図２６】
2006302453.tif 000028
【図２７】
2006302453.tif 000029
【図２８】
2006302453.tif 000030
【図２９】
2006302453.tif 000031
【図３０】
2006302453.tif 000032
【図３１】
2006302453.tif 000033
【図３２】
2006302453.tif 000034
【図３３】
2006302453.tif 000035
【図３４】
2006302453.tif 000036
【図３５】
2006302453.tif 000037
【図３６】
2006302453.tif 000038
【図３７】
2006302453.tif 000039
【図３８】
2006302453.tif 000040
【図３９】
2006302453.tif 000041
【図４０】
2006302453.tif 000042
【図４１】
2006302453.tif 000043
【図４２】
2006302453.tif 000044
【図４３】
2006302453.tif 000045
【図４４】
2006302453.tif 000046
【図４５】
2006302453.tif 000047
【図４６】
2006302453.tif 000048
【図４７】
2006302453.tif 000049
【図４８】
2006302453.tif 000050
【図４９】
2006302453.tif 000051